(57)【要約】【課題】この発明は、乗降時にシートが回転して一部が車外に繰り出す福祉用回転シート装置の格納位置動力固定装置の提供にある。【解決手段】ベースフレームの下方に架設した支持部にＬ型ロックレバーを所要角回転自在に軸支し、そのＬ型ロックレバーの一方部にロックピンの下端を連結し、ロックピンの上半をベースフレームに取付けたガイド部に昇降自在に挿通し、前記Ｌ型ロックレバーの他方部の先端を連係ロッドの一端に軸着連結し、この連係ロッドの他端を、前記ベースフレームの下面側に取り付けた電動モーター往復動装置と連結し、ベースフレーム上に設けた枢軸を中心に回転する福祉用回転シートフレームにロックボスを取付け、ロックピンをロックボスに嵌合してベースフレームと福祉用回転シートフレームを固定する。【選択図】        図１
2005046202.tif 000002
【特許請求の範囲】
【請求項１】
ベースフレームの下方に架設した支持部にＬ型ロックレバーを所要角回転自在に軸支し、そのＬ型ロックレバーの一方部にロックピンの下端を連結し、ロックピンの上半をベースフレームに取付けたガイド部に昇降自在に挿通し、前記Ｌ型ロックレバーの他方部の先端を連係ロッドの一端に軸着連結し、この連係ロッドの他端を、前記ベースフレームの下面側に取付けた電動モーター往復動装置と連結し、ベースフレーム上に設けた枢軸を中心に回転する福祉用回転シートフレームが外方の繰出し位置から格納されて格納位置に停止したとき、前記ロックピンと対応してロックボスを福祉用回転シートフレームに取付け、ロックピンをロックボスに嵌合してベースフレームと福祉用回転シートフレームを固定する格納位置動力固定装置。
【請求項２】
ベースフレームの下方へ支持部を架設し、支持部にＬ型ロックレバーを所要角回転自在に軸支し、そのＬ型ロックレバーの一方部をベースフレームと平行に対面し、他方部を垂下し、ベースフレームに取付けたガイド部に、上下に昇降自在に支承されたロックピンの下端外周面に突出する連係ピンを前記Ｌ型ロックレバーの一方部の先端に開口した横長連係孔に嵌入し、前記Ｌ型ロックレバーの他方部の先端に開口した軸受孔には、連係ロッドの一端に突設した支軸を嵌合連係し、この連係ロッドの他端を、前記ベースフレームの下面側に架設する支持部に取付けた電動モーター往復動装置と連結し、ベースフレーム上に設けた枢軸を中心に回転する福祉用回転シートフレームが外方の繰出し位置から格納されて格納位置に停止したとき、前記ロックピンと対応してロックボスを福祉用回転シートフレームに取付け、ロックピンをロックボスに嵌合してベースフレームと福祉用回転シートフレームを固定する格納位置動力固定装置。
【請求項３】
ロックピンの上端は、弧状の面取りがなされ、ロックボスのロック孔の下端入口において内径面に拡開面取りがなされてなる請求項１または請求項２の格納位置動力固定装置。
【発明の詳細な説明】
【０００１】
【発明が属する技術分野】
この発明は、乗降時にシートが回転して一部が車外に繰り出す福祉用回転シート装置の格納位置動力固定装置に関するものである。
【０００２】
【従来の技術】
今日、乗降時にシートが回転して一部が車外に繰り出し、乗降が容易に行える福祉用回転シートは、高齢者の急増にともない公共団体所有の車両はもとより個人所有の一般自動車に広く普及しようとしている。
【０００３】
【発明が解決しようとする課題】
前記福祉用回転シートの普及から、取り扱い者は、公共団体では専門職員から一般のボランティアに、個人所有の一般自動車では家庭人になっており、その扱いの簡単・容易性、軽い操作性が求められている。
【０００４】
この発明は、かかる要請に応えて、走行中の安全を支える格納位置固定装置の動力化を目的になされたものである
【０００５】
【課題を解決するための手段】
ベースフレームの下方に架設した支持部にＬ型ロックレバーを所要角回転自在に軸支し、そのＬ型ロックレバーの一方部にロックピンの下端を連結し、ロックピンの上半をベースフレームに取付けたガイド部に昇降自在に挿通し、前記Ｌ型ロックレバーの他方部の先端を連係ロッドの一端に軸着連結し、この連係ロッドの他端を、前記ベースフレームの下面側に取付けた電動モーター往復動装置と連結し、ベースフレーム上に設けた枢軸を中心に回転する福祉用回転シートフレームが外方の繰出し位置から格納されて格納位置に停止したとき、前記ロックピンと対応してロックボスを福祉用回転シートフレームに取付け、ロックピンをロックボスに嵌合してベースフレームと福祉用回転シートフレームを固定する格納位置動力固定装置にある。
【０００６】
ベースフレームの下方へ支持部を架設し、支持部にＬ型ロックレバーを所要角回転自在に軸支し、そのＬ型ロックレバーの一方部をベースフレームと平行に対面し、他方部を垂下し、ベースフレームに取付けたガイド部に、上下に昇降自在に支承されたロックピンの下端外周面に突出する連係ピンを前記Ｌ型ロックレバーの一方部の先端に開口した横長連係孔に嵌入し、前記Ｌ型ロックレバーの他方部の先端に開口した軸受孔には、連係ロッドの一端に突設した支軸を嵌合連係し、この連係ロッドの他端を、前記ベースフレームの下面側に架設する支持部に取付けた電動モーター往復動装置と連結し、ベースフレーム上に設けた枢軸を中心に回転する福祉用回転シートフレームが外方の繰出し位置から格納されて格納位置に停止したとき、前記ロックピンと対応してロックボスを福祉用回転シートフレームに取付け、ロックピンをロックボスに嵌合してベースフレームと福祉用回転シートフレームを固定する格納位置動力固定装置としてもよいものである。
【０００７】
ロックピンの上端は、弧状の面取りがなされ、ロックボスのロック孔の下端入口において内径面に拡開面取りがなされてなるものとしてもよいものである。
【０００８】
【発明の実施の形態】
ベースフレームの下方へ支持部を架設し、支持部にＬ型ロックレバーを所要角回転自在に軸支し、そのＬ型ロックレバーの一方部をベースフレームと平行に対面し、他方部を垂下し、ベースフレームに取付けたガイド部に、上端が弧状の面取りがなされ、上下に昇降自在に支承されたロックピンの下端外周面に突出する連係ピンを前記Ｌ型ロックレバーの一方部の先端に開口した横長連係孔に嵌入し、前記Ｌ型ロックレバーの他方部の先端に開口した軸受孔には、連係ロッドの一端に突設した支軸を嵌合連係し、この連係ロッドの他端を、前記ベースフレームの下面側に架設する支持部に取付けた電動モーター往復動装置と連結し、ベースフレーム上に設けた枢軸を中心に回転する福祉用回転シートフレームが外方の繰出し位置から格納されて格納位置に停止したとき、前記ロックピンと対応してロック孔の下端入口において内径面に拡開面取りがなされてなるロックボスを福祉用回転シートフレームに取付け、ロックピンをロックボスに嵌合してベースフレームと福祉用回転シートフレームを固定する格納位置動力固定装置。
【０００９】
【実施例】
以下、この発明の格納位置動力固定装置を実施例である図面により説明すると、実施例の格納位置動力固定装置１は、ベースフレーム２の前後中間の下面側の左右において下方へ支持部３、４を架設し、その左側の支持部３にＬ型ロックレバー５を支軸６により所要角回転自在に支承し、Ｌ型ロックレバー５の横向部５ａをベースフレーム２と平行に対面し、縦向部５ｂを垂下している。
【００１０】
ベースフレーム２の前部に上下に慣通して取り付けたガイド部７にロックピン８を上下に昇降自在に嵌入支承し、ロックピン８の下端両側の外周面に突出する連係ピン９を前記Ｌ型ロックレバー５の横向部５ａの先端に開口した横長連係孔１０に嵌入している。
【００１１】
前記Ｌ型ロックレバー５の縦向部５ｂの先端に開口した軸受孔１１には、連係ロッド１２の一端に突設した支軸１３を嵌合連係し、この連係ロッド１２の他端を、前記ベースフレーム２の下面側に架設する後側の支持部４に取付けた電動モーター往復動装置１４と連結している。
【００１２】
ベースフレーム２上に設けた枢軸１５を中心に回転する福祉用回転シートフレーム１６が枢支され、福祉用回転シートフレーム１６が外方の繰出し位置から格納されて格納位置に停止したとき、前記ロックピン８と対応してロックボス１７を福祉用回転シートフレーム１６に取付けている。
【００１３】
なお、前記ロックピン８の上端は、弧状の面取り８ａがなされ、ロックボス１７のロック孔１７ａの下端入口において内径面に拡開面取り１７ａ１がなされている。
【００１４】
この発明の格納位置動力固定装置は、前述のように構成されるから、電動モーター往復動装置１４を、スイッチ（図示しない）を押圧操作によって作動させることができ、その原動力を利用して連係ロッド１２を作動し、正面から見て左側へ移動したときには、Ｌ型ロックレバー５の横向部５ａを押し上げ、ロックピン８を上昇させてその上端を対面するロックボス１７のロック孔１７ａに嵌入し、ベースフレーム２に対して福祉用回転シートフレーム１６を固定することができる。
【００１５】
反対にスイッチ（図示しない）を操作すると、同様に電動モーター往復動装置１４を作動させて、Ｌ型ロックレバー５の横向部５ａを下降させ、ロックピン８の上端をロックボス１７のロック孔１７ａから抜き、そのベースフレーム２と福祉用回転シートフレーム１６との固定を解放することができる。
【００１６】
なお、ロックピン８の上端に弧状の面取り８ａがなされ、ロックボス１７のロック孔１７ａの下端入口において内径面に拡開面取り１７ａ１がなされているときには、ロックピン８とロックボス１７の嵌合が円滑に行われる。
【００１７】
【発明の効果】
この発明の格納位置動力固定装置は、以上のようになるから、福祉用回転シートを格納位置において、ロック操作をスイッチの操作で行うことができる。
【００１８】
よって、この発明の格納位置動力固定装置は、従来のベースフレームに近づいていちいち手動操作を行っていた操作に比較して、操作者に格段の便益を奏するものである。
【図面の簡単な説明】
【図１】この発明の格納位置動力固定装置を装備した福祉用回転シート装置の全体側面図である。
【図２】この発明の格納位置動力固定装置を主として示す拡大正面図である。
【図３】同じく、格納位置動力固定装置の要部の拡大部分正面図である。
【図４】同じく、ロック状態への作動を示す拡大部分説明図である。
【符号の説明】
１  格納位置動力固定装置
２  ベースフレーム
３  支持部
４  支持部
５  Ｌ型ロックレバー
５ａ  横向部
５ｂ  縦向部
６  支軸
７  ガイド部
８  ロックピン
８ａ  弧状の面取り
９  連係ピン
１０  横長連係孔
１１  軸受孔
１２  連係ロッド
１３  支軸
１４  電動モーター往復動装置
１５  枢軸
１６  福祉用回転シートフレーム
１７  ロックボス
１７ａ  ロック孔
１７ａ１  拡開面取り
【図１】
2005046202.tif 000003
【図２】
2005046202.tif 000004
【図３】
2005046202.tif 000005
【図４】
2005046202.tif 000006